(57)【特許請求の範囲】
【請求項１】
髪巻付軸と、該髪巻付軸に遊動自在に外嵌した筒体とを備えて成り、該筒体はその下端に開通させた縦スリットを母線方向に設けると共に、該縦スリットに連通させて先端側閉塞の横スリットを周方向に設けたことを特徴とするコールドパーマの施術器具。
【請求項２】
髪巻付軸の下端に鉤状に櫛歯を設けたことを特徴とする請求項１記載のコールドパーマの施術器具。
【請求項３】
弾性を有する素材で筒体を形成したことを特徴とする請求項１又は２記載のコールドパーマの施術器具。
【請求項４】
縦スリットを筒体の上下両端に開通させたことを特徴とする請求項３記載のコールドパーマの施術器具。
【発明の詳細な説明】
【技術分野】
【０００１】
本発明は、薄毛であっても頭髪量を豊かに見せるコールドパーマー施術に有用な器具に関する。
【背景技術】
【０００２】
頭髪は、年齢を重ねるにつれ、本数が減少し、また細くなり、この現象は、加齢に伴う代謝機能の低下が主な原因と考えられ、頭頂部や旋毛の付近でより顕著に生じる。
そこで、頭髪の薄い部分を隠すために、部分カツラを利用したり、コールドパーマにより頭髪にパーマネントウェーブを施し、頭髪量を豊かに見せることが行われていた。
【０００３】
ところが、部分カツラは、その装着感が従前より随分改善されているとは云え、夏季には発汗により蒸れて不快感を伴い、またコールドパーマによる対策にも問題があった。
即ち、コールドパーマは、頭髪を髪巻付軸に巻付け、かかる頭髪に還元剤からなる第一薬剤を塗布し、頭髪を構成する蛋白質の結合の一部を切断すると共に、蛋白質構造に位置ずれを生じさせ、第一薬剤を洗い流した後、酸化剤から成る第二薬剤を塗布し、蛋白質を再結合させ、第二薬剤を洗い流して仕上げるのだが、例えば、下記特許文献の各図に示される様に、頭髪は毛先の方から根元側へと巻付けられ、また頭髪は髪巻付軸の軸線と直交させ、髪巻付軸の中央に積層され、髪巻付後の髪巻付軸は、頭部上に横臥状態にて配置され、頭髪の根元近くでは巻きが太くなることから、頭皮間際までは頭髪を巻付けることが出来ず、そのため毛流の分かれ目付近では、ウゥーブが弱く、頭髪を立ち上がらせることが出来ないため、むしろ毛流の分け目が目立っていた。
【先行技術文献】
【特許文献】
【０００４】
【特許文献１】特開平１０−１４６４８号公報（図１及び図４）
【特許文献２】特許第２８３３９５８号公報（図１のＢ、図２及び図４のＢ）
【特許文献３】特許第３１５９９６７号公報（図６〜図９）
【発明の概要】
【発明が解決しようとする課題】
【０００５】
一般に薄毛の人は、頭髪が寝ているため、髪型や旋毛による毛流の分け目が目立ち、この様子が薄毛を一層強く印象付けているが、本発明は、コールドパーマにより、毛流の分け目において、頭髪を立ち上げ、毛流の分け目を目立たなくすると共に、頭髪量を豊かに見せる様にしたものである。
【課題を解決するための手段】
【０００６】
本発明は、髪巻付軸と、該髪巻付軸に遊動自在に外嵌した筒体とを備えて成り、該筒体はその下端に開通させた縦スリットを母線方向に設けると共に、該縦スリットに連通させて先端側閉塞の横スリットを周方向に設けることによって、毛流の分け目において、頭部上に髪巻付軸を起立状態にて配置し、一束の頭髪の根元側を縦スリットに導入し、筒体を回転させることで、頭髪を横スリットに引っ掛けさせて保持させ、かかる筒体を更に回転させつつ、引き上げることで、頭髪は根元側から順次先端側へと螺旋状に髪巻付軸に巻付けられ、かかる頭髪をコールドパーマ処理して、頭髪を根元から立ち上げさせ、毛流の分け目を幾分覆い隠すと共に、頭髪に量感を醸し出させる様にして、上記課題を解決する。
【発明の効果】
【０００７】
従前のコールドパーマの施術方法では、髪巻付軸に巻回された頭髪の下層側は毛先であり、頭髪の根元側は上層側に下層側より緩やかな湾曲状態にて巻付けられているが、これに対し、本発明の方法では、髪巻付軸を頭部上に起立状態にて配置するため、頭髪の頭皮間際に髪巻付軸下端を近づけ、頭髪の根元側を髪巻付軸に直接（又はペーパーを介して）巻付けられ、頭髪の根元側を小さく巻いて、曲率の大きなパーマネントウェーブを形成することが出来る。
又、髪巻付軸の下端に一束の頭髪の根元側を固定し、かかる頭髪を根元側から順次先端側へと螺旋状に髪巻付軸に巻付け、巻付けた頭髪の先端側を髪巻付軸の上端側に固定する様にしたので、螺旋の緻密度、巻数を加減することで、得られるパーマネントウェーブの曲率を調整でき、例えば、髪巻付軸の径を小さく細いものにし、根元側でほぼ水平に巻いて、先端側では、傾斜の大きい螺旋状に巻けば、頭髪の根元側を立ち上げ、先端側には緩やかなパーマネントウェーブを形成することが出来る。
従って、頭髪は、根元側が立ち上げられ、毛流の分け目が幾分覆い隠され、また先端側では緩やかに湾曲していることから、全体として、頭髪量が豊かに見える。
【０００８】
そして、本発明のコールドパーマの施術器具は、髪巻付軸と、該髪巻付軸に遊動自在に外嵌した筒体とを備えて成り、該筒体はその下端に開通させた縦スリットを母線方向に設けると共に、該縦スリットに連通させて先端側閉塞の横スリットを周方向に設けたので、髪巻付軸を頭部上に配置した後、一束の頭髪の根元側を縦スリットに導入し、筒体を回転させることにより、頭髪の根元側は髪巻付軸と筒体との間に挟まれ、更に筒体を回転させることで、頭髪は横スリットに引っ掛けられて保持され、かかる筒体を回転させつつ引き上げれば、頭髪は髪巻付軸に螺旋状に巻き付けられる。
つまり、この施術器具を使用することにより、本発明のコールドパーマの施術方法を至極簡単に実施することが出来る。
【０００９】
髪巻付軸の下端に鉤状に櫛歯を設けたので、一束の頭髪の根元に櫛歯を差し込むだけで、容易に頭部上に髪巻付軸を起立状態にて配置でき、また髪巻付軸の下端に頭髪の根元側を迅速に固定することが出来、本発明の方法を実施することが更に容易となる。
【００１０】
弾性を有する素材で筒体を形成したので、髪巻付軸と筒体の径を適宜設定することにより、筒体を回転させつつ引き上げ、髪巻付軸に頭髪を巻付けた後、筒体は頭髪ごと髪巻付軸を締め付けるため、髪巻付軸に頭髪の先端側が固定されてほどけず、効率良く作業を進めることが出来る。
【００１１】
縦スリットを筒体の上下両端に開通させたので、先ず筒体を取外して髪巻付軸だけを頭部上に配置し、筒体の横スリットに頭髪の根元側を引っ掛けた後、縦スリット部を髪巻付軸に押し付け、筒体を弾性変形させつつ押し込み、髪巻付軸に筒体を嵌合させることが出来るため、作業が一層容易となる等その実用的効果甚だ大である。
【図面の簡単な説明】
【００１２】
【図１】本発明に係るコールドパーマの施術器具を示す正面図である。
【図２】図１のＡ−Ａ断面図である。
【図３】図１の施術器具の髪巻付軸の正面図である。
【図４】図１の施術器具の筒体の正面図である。
【図５】図４のＢ−Ｂ断面図である。
【図６】図１の施術器具の使用状態図である。
【図７】施術器具の他例を示す側面図である。
【図８】図７のＣ−Ｃ断面図である。
【図９】筒体の他例を示す正面図である。
【発明を実施するための形態】
【００１３】
本発明のコールドパーマの施術器具は、図１〜５に示す様に、髪巻付軸１と、該髪巻付軸１に遊動自在に外嵌した筒体２とを備えている。
筒体２は、その下端に開通させた縦スリット３を母線方向に設けると共に、該縦スリット３に連通させて先端側閉塞の横スリット４を周方向に設けている。
横スリット４は、左右のうち一方向だけに設けても良いが、頭髪の髪巻付軸１への左巻付け、右巻付け両方に対応するべく、図示例の様に、左右両方向に設けるのが良い。
【００１４】
図１の施術器具は、起立状態での安定性確保のため、髪巻付軸１の下端に脚部５を設けており、また図７及び８に示す様に、髪巻付軸１の下端に鉤状に櫛歯６を設けても良く、かかる櫛歯６を頭髪の根元側に差し込むことにより、髪巻付軸１の下端と頭髪とが相互に固定されて、安定性が増すのである。
【００１５】
尚、本実施例では、円柱形状の髪巻付軸１を例示したが、髪巻付軸１の形状は円柱形状に限定されるものではなく、例えば、五角柱形状、六角柱形状等の多角形柱形状でも良く、また筒状であっても良く、径の大小も問わない。
つまり、頭髪を巻回可能であれば良く、所望のパーマネントウェーブの形状を考慮し、適宜選択すれば良い。
【００１６】
筒体２の素材としては、硬質の合成樹脂でも良いが、ゴム等の弾性を有する素材で形成するのがより良く、弾性素材とすることにより、髪巻付軸１に頭髪を巻付けた後、筒体２が髪巻付軸１を頭髪ごと強く締め付け、髪巻付軸１に頭髪の先端側がより確実に固定される。
又、弾性素材で形成した筒体２の場合、図９に示す様に、縦スリット３を上下両端に開通させても良く、かかる筒体２は、縦スリット３を髪巻付軸１の側部に押し付け、筒体２を弾性変形させつつ押し込み、髪巻付軸１に筒体２を嵌合させれば良い。
【００１７】
次に本発明の施術器具の使用方法について説明する。
先ず、図６に示す様に、髪型や旋毛による頭髪HAの分け目において、適宜量の頭髪HAを一束分け取り、かかる頭髪HAの根元にして頭部HE上に髪巻付軸１の脚部５を当接させ、髪巻付軸１を起立状態にて配置する。
図７及び８に示した施術器具の場合、櫛歯６を頭髪HAの根元側に差し込んで、髪巻付軸１を起立させる。
次に、一束の頭髪HAの根元側を縦スリット３に導入し、筒体２を回転させ、頭髪HAを横スリット４に引っ掛けて保持させ、かかる筒体２を回転させつつ引き上げ、頭髪HAを根元側から順次先端側へと髪巻付軸１に螺旋状に巻き付ける。
【００１８】
この時、髪巻付軸１と筒体２の間に頭髪HAが挟み込まれているため、押し広げられた筒体２の形状復元力にて、筒体２が頭髪HAごと髪巻付軸１を締め付け、髪巻付軸１に頭髪HAの先端側が固定される。
尚、図示しないが、髪巻付軸１と頭髪HAの間に後説の第一薬剤及び第二薬剤の吸収保持用のペーパーを巻き込む様にしても良い。
【００１９】
次に、髪巻付軸１に固定した頭髪HAにコールドパーマの還元剤からなる第一薬剤を塗布し、これを洗い流した後、酸化剤から成る第二薬剤を塗布し、適宜時間の経過後、筒体２を抜き取り、巻付けた頭髪HAをほぐし、第二薬剤を洗い流して仕上げる。
【００２０】
以上の通り、本発明によれば、頭髪HAの根元にして頭皮間際にパーマネントウェーブを形成し、頭髪HAを立ち上げさせることが可能である。
【符号の説明】
【００２１】
１  髪巻付軸
２  筒体
３  縦スリット
４  横スリット
５  脚部
６  櫛歯
HA  頭髪
HE  頭部
【図１】
0005113223.tif 000002
【図２】
0005113223.tif 000003
【図３】
0005113223.tif 000004
【図４】
0005113223.tif 000005
【図５】
0005113223.tif 000006
【図６】
0005113223.tif 000007
【図７】
0005113223.tif 000008
【図８】
0005113223.tif 000009
【図９】
0005113223.tif 000010